(57)【要約】【課題】排水用ヘッダーの長手方向の長さを短くするコンパクト化を図ることにある。【解決手段】ヘッダー本管の両側の相対面する位置に筒状の枝管接続部が連結されてなる排水用ヘッダーにおいて、両枝管接続部が連結されるヘッダー本管内部には、本管頂部から少なくとも枝管接続部の筒底に相当する位置まで垂下して、両枝管接続部の連結口間を隔てる整流板が設けられていることを特徴とする。【選択図】  図１
2005054468.tif 000002
【特許請求の範囲】
【請求項１】
ヘッダー本管の両側の相対面する位置に筒状の枝管接続部が連結されてなる排水用ヘッダーにおいて、
両枝管接続部が連結されるヘッダー本管内部には、本管頂部から少なくとも枝管接続部の筒底に相当する位置まで垂下して、両枝管接続部の連結口間を隔てる整流板が設けられていることを特徴とする排水用ヘッダー。
【請求項２】
前記枝管接続部の筒底が、ヘッダー本管の管底より上方に配置されている請求項１記載の排水用ヘッダー。
【請求項３】
前記ヘッダー本管の管断面形状が卵形状となされ、かつヘッダー本管の下部内面の曲率半径が上部内面の曲率半径よりも小さくなされている請求項１または請求項２に記載の排水用ヘッダー。
【請求項４】
前記ヘッダー本管への枝管接続部の連結口に位置する本管頂部に掃除口が設けられ、この掃除口の蓋内面に上記整流板が取り付けられている請求項１〜３のいずれかに記載の排水用ヘッダー。
【請求項５】
複数個の管継手の接続体からなり、
管継手は、ヘッダー本管を構成する継手本管を有し、継手本管の一端部に流入側接続部が設けられ、他端部に流出側接続部が設けられ、継手本管の両側の相対面する位置に筒状の枝管接続部が連結されてなる請求項１〜４のいずれかに記載の排水用ヘッダー。
【発明の詳細な説明】
【技術分野】
【０００１】
本発明は、住宅のトイレ、浴室、台所等の排水を宅地内で合流させて公共下水道に排水するための排水用ヘッダーに関する。
【背景技術】
【０００２】
住宅用排水システムとして、特許文献１に記載の如く、建物内のトイレ、洗面所、洗濯機、浴室、台所等の排水設備に接続した複数の排水用枝管のそれぞれを、建物の床下等に配置した排水用ヘッダーが備える複数の枝管接続部のそれぞれに接続するとともに、この排水用ヘッダーを屋外の排水管に接続するものがある。
【０００３】
特許文献１の排水用ヘッダーは、ヘッダー本管の両側に筒状の枝管接続部を連結し、ヘッダー本管の管中心軸を挟む左右のいずれの側からでも排水用枝管を接続可能にし、排水用ヘッダーを用いる配管の自由度を向上可能にしている。
【０００４】
【特許文献１】特開２００２−６１２４８号公報（段落番号［００２０］および［００４０］、図      ５および図９）
【発明の開示】
【発明が解決しようとする課題】
【０００５】
特許文献１に記載のような排水用ヘッダーでは、ヘッダー本管の両側に連結されて相対面する２つの枝管接続部の該ヘッダー本管への連結口が、ヘッダー本管の管中心軸に直交する方向視で互いに重なり合ったり、重ならなくても近接している位置関係にある場合に、一方の枝管接続部をトイレに接続した汚物排水用枝管のための汚物用枝管接続部として用いると、汚物用枝管接続部からヘッダー本管に流入する汚物の一部が、ヘッダー本管を径方向に横切って相対面する他方の枝管接続部に飛び込み侵入するおそれがある。他方の枝管接続部に侵入した汚物は、当該他方の枝管接続部に接続されている、例えば、洗面所の雑排水用枝管の少量の排水では搬送されずにそのまま留置されて固化し、配管つまりを引き起こすおそれがある。
【０００６】
このため、特許文献１記載の排水用ヘッダーでは、ヘッダー本体の両側に連結されて相対面する２つの枝管接続部の該ヘッダー本管への連結口を、ヘッダー本管の管中心軸に沿って大きく離隔したり、一方の枝管接続部に排水用枝管を接続した状態では、他方の枝管接続部に栓体を装着して不使用とする等の必要がある。この場合には、排水用ヘッダーの単位長さに対する排水用枝管の接続可能口数が少なくなり、排水用ヘッダーの排水の流れ方向の長さが長くなるという問題があった。排水用ヘッダーの全体の長さが長くなると、床下での設置位置に制約が生じることになるため、可能な限り全体の長さが短く、コンパクトである方が好ましいものである。
【０００７】
本発明の課題は、排水用ヘッダーの長手方向の長さを短くするコンパクト化を図ることにある。
【課題を解決するための手段】
【０００８】
請求項１記載の本発明の排水用ヘッダーは、ヘッダー本管の両側の相対面する位置に筒状の枝管接続部が連結されてなる排水用ヘッダーにおいて、両枝管接続部が連結されるヘッダー本管内部には、本管頂部から少なくとも枝管接続部の筒底に相当する位置まで垂下して、両枝管接続部の連結口間を隔てる整流板が設けられていることを特徴とする。
【０００９】
また、請求項２記載の本発明の排水用ヘッダーは、請求項１記載の排水用ヘッダーにおいて、前記枝管接続部の筒底が、ヘッダー本管の管底より上方に配置されているようにしたものである。
【００１０】
また、請求項３記載の本発明の排水用ヘッダーは、請求項１または請求項２記載の排水用ヘッダーにおいて、前記ヘッダー本管の管断面形状が卵形状となされ、かつヘッダー本管の下部内面の曲率半径が上部内面の曲率半径よりも小さくなされているものである。
【００１１】
また、請求項４記載の本発明の排水用ヘッダーは、請求項１〜３のいずれかに記載の排水用ヘッダーにおいて、前記ヘッダー本管への枝管接続部の連結口に位置する本管頂部に掃除口が設けられ、この掃除口の蓋内面に上記整流板が取り付けられているものである。
【００１２】
また、請求項５記載の本発明の排水用ヘッダーは、請求項１〜４のいずれかに記載の排水用ヘッダーにおいて、複数個の管継手の接続体からなり、管継手は、ヘッダー本管を構成する継手本管を有し、継手本管の一端部に流入側接続部が設けられ、他端部に流出側接続部が設けられ、継手本管の両側の相対面する位置に筒状の枝管接続部が連結されてなるものである。
【発明の効果】
【００１３】
請求項１記載の排水用ヘッダーにおいては、以下の通りの作用効果を奏する。
先ず、ヘッダー本管の両側に連結されて相対面する両枝管接続部の該ヘッダー本管への連結口が、ヘッダー本管の管中心軸に直交する方向視で互いに重なり合ったり、近接していても、双方の枝管接続部からヘッダー本管に流入する流入物、例えば、トイレの排水における汚物の一部が相対面する他方の枝管接続部に飛び込み侵入することを防止できる。
【００１４】
この理由は、両枝管接続部が連結されるヘッダー本管内部には本管頂部から少なくとも枝管接続部の筒底に相当する位置まで垂下して、両枝管接続部の連結口間を隔てる整流板が設けられているので、双方の枝管接続部からヘッダー本管に流入する流入物の流れの向きを、ヘッダー本管の管中心軸に沿う方向へとそらすことができるからであり、また、整流板は本管頂部から少なくとも枝管接続部の筒底に相当する位置まで垂下するとともに、枝管接続部の連結口間を隔てるように設けられているので、双方の枝管接続部からヘッダー本管に流入する流入物の流れが相対面する他方の枝管接続部に飛び込もうとするのを完全に遮蔽するからである。
【００１５】
上述の通り、ヘッダー本管の両側に連結されて相対面する両枝管接続部の該ヘッダー本管への連結口を、ヘッダー本管の管中心軸に直交する方向視で互いに重ね合い、又は近接させながら、両枝管接続部のそれぞれに排水用枝管を同時に接続して使用できる。従って、排水用ヘッダーの単位長さに対する排水用枝管の接続可能口数を多くでき、排水用ヘッダーの長手方向の長さを短くすることができ、コンパクト化を図ることができる。
また、両枝管接続部がその筒中心軸がヘッダー本管の管中心軸であって該枝管接続部の連結口より上流側の管中心軸に鋭角に斜交するように連結されているものにおいては、各枝管接続部からヘッダー本管に流入する流入物の流れの向きが、ヘッダー本管の管中心軸に沿う方向へ向かうことになるので、ヘッダー本管内の流れが良くなり、汚物の掃流性が向上する。
【００１６】
また、請求項２記載の排水用ヘッダーによれば、枝管接続部の筒底をヘッダー本管の管底より上方に配置した。従って、枝管接続部からヘッダー本管に流入する流入物は、枝管接続部からヘッダー本管の管底の側に落下し、相対面する他方の枝管接続部への飛び込みの機会がなくなるとともにヘッダー本管内の流れが良くなり、汚物の掃流性が向上する。
【００１７】
また、請求項３記載の排水用ヘッダーによれば、ヘッダー本管の管断面形状を卵形状とし、かつヘッダー本管の下部内面の曲率半径を上部内面の曲率半径よりも小さくしたので、ヘッダー本管の管底の断面積が小さくなって水位の上昇が早く、汚物を浮かした状態で押し流し易く、汚物の掃流性を向上できる。
【００１８】
また、請求項４記載の排水用ヘッダーによれば、ヘッダー本管への枝管接続部の連結口に位置する本管頂部に掃除口が設けられ、この掃除口の蓋内面に上記整流板が取り付けられているので、整流板の取付けが容易であり、この蓋を取外すことにより整流板の掃除が行えるので、掃除も容易に行える。
【００１９】
また、請求項５記載の排水用ヘッダーによれば、複数個の管継手を組合わせることにより、枝管接続部の口数の異なった各種の排水用ヘッダーを形成できる。従って、排水用ヘッダーの成形のための型費用を低減できる。
【発明を実施するための最良の形態】
【００２０】
図１は第１実施形態の排水用ヘッダーを示し、（Ａ）は平面図、（Ｂ）は側面図、図２は管継手を示し、（Ａ）は平面図、（Ｂ）は正面図、（Ｃ）は側面図、図３および図４は管継手の断面を示し、図３は図２（Ａ）のIII−III線における断面図、図４は図２（Ｃ）の
IV−IV線における断面図、図５は第２実施形態の排水用ヘッダーを示し、（Ａ）は平面図
、（Ｂ）は側面図、図６は第３実施形態の排水用ヘッダーを示し、（Ａ）は平面図、（Ｂ）は側面図である。
【００２１】
（第１実施形態）（図１〜図４）
図１の排水用ヘッダー１は、１個の管継手１０と１個の上流接続継手２０と、１個の下流接続継手３０とから構成される。
【００２２】
管継手１０は、図２に示す如く、継手本管１１を有し、継手本管１１の一端部に受口状の流入側接続部１２を設け、他端部に差口状の流出側接続部１３を設け、管壁の両側に受口状の枝管接続部１４、１５を設け、管壁の頂部でかつ両枝管接続部１４、１５の連結口の上側に相当する位置に掃除口１６を設けている。管継手１０は、プラスチック成形品であり、継手本管１１に流入側接続部１２、流出側接続部１３、枝管接続部１４、１５、掃除口１６を一体成形して備える。
【００２３】
上流接続継手２０は、管継手１０の継手本管１１に設けた流入側接続部１２の受口内周面に嵌着される嵌合部２１を備えるとともに、住宅の排水設備等に接続される接続部２２を備える。上流接続継手２０は、プラスチック成形品である。管継手１０に対して上流接続継手２０の接続部２２が形成する接続通路は、継手本管１１の管底より上方に配置される。
尚、上流接続継手２０より排水を流入しない場合には、この上流接続継手２０に代えて継手本管１１の端部に閉塞キャップを取着したものとしてもよい。閉塞キャップとしては継手本管１１の上流側端部に汚水の滞留部を生じないような閉塞面を有するものが使用される。
【００２４】
下流接続継手３０は、管継手１０の継手本管１１に設けた流出側接続部１３の差口外周面に嵌着される嵌合部３１を備えるとともに、屋外に延びる排水管等に接続される接続部３２を備える。下流接続継手３０は、プラスチック成形品である。管継手１０に対して下流接続継手３０の嵌合部３１、接続部３２が形成する接続通路は、継手本管１１の管底と同一レベルに配置される。
【００２５】
管継手１０の掃除口１６には、ネジ取付けタイプの蓋１８が着脱可能に装着される。
排水用ヘッダー１は、管継手１０の継手本管１１によりヘッダー本管１Ａを構成するものである。そして、排水用ヘッダー１は、ヘッダー本管１Ａ（継手本管１１）の管中心軸を挟む左右両側に円筒状の枝管接続部（斜交枝管接続部）１４、１５を左右対称的に連結している。枝管接続部１４、１５は、ヘッダー本管１Ａ（継手本管１１）の管中心軸に沿う方向の同一位置にて相対面し、住宅のレイアウト等により枝管接続部１４、１５の一方を汚物用とし、他方を雑排水用として用いる。即ち、一方の汚物用枝管接続部１４にはトイレに接続した汚物排水用枝管が接続され、他方の枝管接続部１５には例えば洗面所等に接続した雑排水用枝管が接続される。
【００２６】
排水用ヘッダー１において、汚物用枝管接続部１４は、図５に示す管継手４０の枝管接続部４４、４５のように継手本体４１の管中心軸に直交して、かつ、相対面するように連結されていてもよいが、その筒中心軸がヘッダー本管１Ａ（継手本管１１）の管中心軸であって、ヘッダー本管１Ａ（継手本管１１）に対する汚物用枝管接続部１４の連結口１４Ａ（継手本管１１に対する付根部）より上流側の管中心軸に鋭角を介して斜交するように連結してあるのが、汚水の流れがよいため好ましい。
この斜交する程度は、３０〜６０°程度の範囲で、かつ下方向に向けて流入するよう傾斜していてもよいが、斜交する角度が大きくなると整流板に衝突する勢いで流体が飛散し、汚物がヘッダー本管１Ａ（継手本管１１）の内面に付着し易くなる。また、角度が小さくなるとヘッダー本管１Ａ（継手本管１１）に添う方向に流入するので、流入物の流れは良好となるが、枝管接続部１４のヘッダー本管１Ａ（継手本管１１）への連結口が管軸方向に長くなり、排水用ヘッダー１の長手方向の長さを短くするという課題に沿わなくなる。様々の角度でテストした結果では、斜交する角度は、４５°前後で、水平方向に流入するものが、形状的にシンプルで効果的であった。
【００２７】
そして、本発明の排水用ヘッダー１においては、両枝管接続部１４、１５が連結されるヘッダー本管１Ａ（継手本管１１）内部には、本管頂部から少なくとも両枝管接続部１４、１５の筒底に相当する位置まで垂下して、両枝管接続部１４、１５の連結口１４Ａ、１５Ａ間を隔てる整流板１７が設けられている。
この整流板１７は、両枝管接続部１４、１５の連結口１４Ａ、１５Ａ間を隔てるように設けられていればよく、両枝管接続部１４、１５の連結口１４Ａ、１５Ａ間を隔てる大きさより大きな板体がヘッダー本管１Ａ（継手本管１１）の頂部に固定されて垂下されているものであってもよい。また、ヘッダー本管１Ａの全長にわたって垂下されているものでもよい。この場合、整流板１７は上流接続継手２０との接続の障害とならないよう継手２０の嵌合部２１または整流板１７の流入側接続部１２との接合部にスリットを設けておけばよい。
しかし、整流板１７が設けられるヘッダー本管１Ａ（継手本管１１）の管壁の頂部でかつ両枝管接続部１４、１５の連結口１４Ａ、１５Ａの上側に相当する位置には、掃除口１６を設けられているので、整流板１７は掃除口１６を二分する形で設けられることになり、掃除口が狭くなって管継手１０の内部の掃除がしにくくなる。
【００２８】
そこで、掃除口１６の内部に一体の整流板１７を固定して設けるのではなく、整流板１７を掃除口１６の部分１７Ａと上流側部分１７Ｂと下流側部分１７Ｃとに３分割し、掃除口１６の部分１７Ａを掃除口１６の蓋１８の内面側に設けて、蓋１８を取外す時には整流板１７の掃除口１６の部分１７Ａを同時に取外すことができるようにすれば、掃除をする時に掃除口１６が開放され、整流板１７Ｂ、１７Ｃを含めて管継手１０の内部を十分に清掃することができる。
整流板１７を分割して取り付ける場合には、汚物が引っ掛からないように接合部分に隙間や突起がないものとすることが好ましい。例えば、図４に示すように、整流板１７Ａと１７Ｂおよび１７Ｃとの接合面を凹溝と凸条とのスライド嵌合とするとよい。掃除口１６の蓋１８の内面側に設けられる整流板１７Ａは、蓋１８の中心軸で回動自在に取付けられていれば、ネジ取付けタイプの蓋１８であっても、蓋１８だけを回動させて掃除口１６に取付けることができる。
【００２９】
整流板１７については、両枝管接続部１４、１５から流入する排水、特に汚物を含んだトイレからの排水の下流方向への流れを良くするために、整流板１７の厚さが流線型となされていたり、上流側の下端縁が円弧形状となされているのが好ましい。また、枝管接続部の連結口１４Ａ、１５Ａから流入する排水の飛散を防止するために、連結口１４Ａ、１５Ａの上縁から整流板１７の上部にかけて排水を誘導するガイド曲板を設けてもよい。また、整流板に衝突する流入物の飛散を防止するために、整流板に小孔を設けたり、整流板表面に凹凸を設けることもできる。
【００３０】
排水用ヘッダー１は、図２に示す如く、ヘッダー本管１Ａを構成する継手本管１１の管断面形状を卵形状とし、かつ継手本管１１の下部内面の曲率半径を上部内面の曲率半径より小さくしている。
【００３１】
また、排水用ヘッダー１は、図２に示す如く、枝管接続部１４、１５の筒底を、ヘッダー本管１Ａ（継手本管１１）の管底より上方に配置している。
【００３２】
尚、排水用ヘッダー１は、管継手１０、上流接続継手２０、下流接続継手３０をそれらの内部が透視可能な程度に透明な硬質塩化ビニル樹脂等にて成形したものとすることができる。
【００３３】
排水用ヘッダー１は建物の床下に配置されて用いられる。建物内のトイレに接続した汚物排水用枝管をヘッダー本管１Ａ（継手本管１１）の一方の枝管接続部１４に接続し、他方の枝管接続部１５には、洗面所等に接続した雑排水用枝管または他のトイレに接続した汚物排水用枝管を接続する。尚、ヘッダー本管１Ａ（継手本管１１）の流入側接続部１２に接続した上流接続継手２０や他方の枝管接続部１５を不使用とする場合には、それらの接続継手２０や枝管接続部１５をキャップや蓋により閉塞する。ヘッダー本管１Ａ（継手本管１１）の流出側接続部に接続した下流接続継手３０に屋外の排水管を接続する。これにより、建物のトイレや洗面所等の排水はそれらの排水用枝管から排水用ヘッダー１に流れ込んで合流し、屋外の排水管に向けて排水処理される。
【００３４】
本実施形態によれば、排水用ヘッダーは両枝管接続部がヘッダー本管の管中心軸に対して鋭角に斜交するように連結され、両枝管接続部の連結口間を隔てる整流板が設けられているので、汚物排水はヘッダー本管に斜交して流入し、整流板に当たって更にヘッダー本管の中心軸方向に向かって流れる。従って、相対面する反対側の枝管接続部の連結口に汚物が飛び込むことがなく、ヘッダー本管内の流れがよく、汚物の掃流性もよい。また、相対面する他方の枝管接続部にも汚物排水または他の排水用枝管からの排水をを流入させることも可能であり、排水用ヘッダーの長手方向のコンパクト化を図ることができる。
【００３５】
（第２実施形態）（図５）
第２実施形態の排水用ヘッダー２が第１実施形態の排水用ヘッダー１と異なる点は、排水用ヘッダー１における管継手１０と下流接続継手３０の間に、１個の管継手４０を直列的に介装したことにある。
【００３６】
管継手４０は、管継手１０の継手本管１１と同一の卵形状の管断面形状をもつ継手本管４１を有し、継手本管４１の一端部に流入側接続部４２を設け、他端部に流出側接続部４３を設け、管壁の両側に中心軸に直交する円筒状の枝管接続部４４、４５を設け、管壁の上側に掃除口４６を設けている。枝管接続部４４、４５は、図５に示すように、管継手１０の枝管接続部１４より小口径とされている場合には、汚物用としては不適であるが、雑排水用として用いられる。枝管接続部４４、４５を汚水排水用として使用する場合には、口径を大きくし、両枝管接続部４４、４５の連結口の間を隔てる整流板が設けられたものが使用される。この整流板は管継手１０に設けられている整流板１７と連続したものであってもよい。
【００３７】
排水用ヘッダー２にあっては、管継手１０の流入側接続部１２に上流接続継手２０の嵌合部２１を嵌着し、管継手１０の流出側接続部１３に管継手４０の流入側接続部４２を接続し、管継手４０の流出側接続部４３に下流接続継手３０の嵌合部３１を嵌着することにより、管継手１０、４０の継手本管１１、４１によりヘッダー本管２Ａを構成するものになる。管継手１０の継手本管１１と管継手４０の継手本管４１の管内面はそれらの接続部１３、４２を介して段差なく連結される。管継手１０に対する上流接続継手２０の接続通路は、継手本管１１の管底より上方に配置される。管継手４０に対する下流接続継手３０の接続通路は、継手本管４１の管底と同一レベルに配置される。
【００３８】
排水用ヘッダー２によれば、複数個の管継手１０、４０を組合わせることにより、枝管接続部１４、１５、４４、４５、上流接続継手２０の接続部２２の口数の異なる排水用ヘッダーを形成できる。排水用ヘッダー２の成形のための型費用を軽減できる。そして、排水用ヘッダー２の短い全長の中で、全５個の枝管接続部１４、１５、４４、４５、上流接続継手２０の接続部２２を備えるものとなる。
【００３９】
（第３実施形態）（図６）
第３実施形態の排水用ヘッダー３が第１実施形態の排水用ヘッダー１と異なる点は、排水用ヘッダー１における管継手１０と下流接続継手３０の間に、第２実施形態で用いた管継手４０を２個直列的に介装したことにある。
【００４０】
排水用ヘッダー３にあっては、管継手１０の流入側接続部１２に上流接続継手２０の嵌合部２１を嵌着し、管継手１０の流出側接続部１３に管継手４０の流入側接続部４２を接続し、管継手４０の流出側接続部４３に他の管継手４０の流入側接続４２を接続し、この他の管継手４０の流出側接続部４３に下流接続継手３０の嵌合部３１を嵌着することにより、管継手１０、４０、４０の継手本管１１、４１、４１によりヘッダー本管３Ａを構成するものになる。管継手１０の継手本管１１と２個の管継手４０の継手本管４１の管内面はそれらの接続部１３、４２、４３を介して段差なく連結される。
【００４１】
排水用ヘッダー３によれば、複数個の管継手１０、４０、４０を組合わせることにより、枝管接続部１４、１５、４４、４５、上流接続継手２０の接続部２２の口数の異なる排水用ヘッダーを形成できる。排水用ヘッダー３の成型のための型費用を軽減できる。そして、排水用ヘッダー３の短い全長の中で、全７個の枝管接続部１４、１５、４４、４５、４４、４５、上流接続継手２０の接続部２２を備えるものになる。
【００４２】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、他方の斜交枝管接続部１４、１５の両方を汚物用でない他の流入口用として用いることもできる。また、図５および図６において、管継手４０に代えて管継手１０を組み合わせてもよい
【図面の簡単な説明】
【００４３】
【図１】本発明の排水用ヘッダーの第１実施形態を示し、（Ａ）は平面図、（Ｂ）は側面図である。
【図２】本発明の排水用ヘッダーで使用する管継手を示し、（Ａ）は平面図、（Ｂ）は正面図、（Ｃ）は側面図である。
【図３】図２（Ａ）のIII−III線における断面図である。
【図４】図２（Ｃ）のIV−IV線における断面図である。
【図５】本発明の排水用ヘッダーの第２実施形態を示し、（Ａ）は平面図、（Ｂ）は側面図である。
【図６】本発明の排水用ヘッダーの第３実施形態を示し、（Ａ）は平面図、（Ｂ）は側面図である。
【符号の説明】
【００４４】
１、２、３  排水用ヘッダー
１Ａ、２Ａ、３Ａ  ヘッダー本管
１０        管継手
１１        継手本管
１２        流入側接続部
１３        流出側接続部
１４、１５  枝管接続部
１６        掃除口
１７        整流板
１８        蓋
４０        管継手
４１        継手本管
４２        流入側接続部
４３        流出側接続部
４４、４５  枝管接続部
４６        掃除口
【図１】
2005054468.tif 000003
【図２】
2005054468.tif 000004
【図３】
2005054468.tif 000005
【図４】
2005054468.tif 000006
【図５】
2005054468.tif 000007
【図６】
2005054468.tif 000008